(57)【特許請求の範囲】
【請求項１】
空気調和が行われる空調対象空間の上部にあって、空気調和した空気を吹き出すための空調吹き出し口を有する空気調和装置と、
前記空調対象空間の空気を吸い込んで送風吹き出し口から吹き出す送風機と
を備え、
該送風機について、高さ方向においては、前記送風吹き出し口が前記空調吹き出し口とほぼ同じ高さに位置するように、また、水平方向においては、前記送風吹き出し口から吹き出す空気の流れが、前記空気調和装置の空調吹き出し口から吹き出される空気の空調吹き出し流れと略直交する位置となり、互いの空気を衝突させて空気を拡散させる流れが生じるように配置することを特徴とする空気調和システム。
【請求項２】
空気調和が行われる空調対象空間の上部にあって、空気調和した空気を吹き出すための空調吹き出し口を有する空気調和装置と、
前記空調対象空間の空気を吸い込んで送風吹き出し口から吹き出す送風機と
を備え、
該送風機について、高さ方向においては、前記送風吹き出し口が前記空調吹き出し口とほぼ同じ高さに位置するように、また、水平方向においては、前記送風吹き出し口から吹き出す空気の流れが、前記空気調和装置の空調吹き出し口から吹き出される空気の空調吹き出し流れと略直交する位置となるように配置し、
前記空調吹き出し流れの方向における前記空気調和装置と前記送風機との間の距離Δｘと、前記空気調和装置が吹き出す空気の風速Ｖｉｎとについて、０．２＜Δｘ／Ｖｉｎ＜０．５を満たすように、前記風速の制御、前記送風機の位置の少なくとも一方を制御することを特徴とする空気調和システム。
【請求項３】
前記送風機を前記空調吹き出し流れの方向に移動させることができる移動手段をさらに備えることを特徴とする請求項２に記載の空気調和システム。
【請求項４】
前記空気調和装置が吹き出す空気による風量Ｑｉｎに対し、前記送風機が吹き出す空気による風量Ｑｆａｎとの関係が、０．５＜Ｑｆａｎ／Ｑｉｎ＜０．９となるように、前記送風機を制御することを特徴とする請求項１〜３のいずれかに記載の空気調和システム。
【請求項５】
前記送風機が吹き出す空気の、前記高さ方向における角度を変更可能とすることを特徴とする請求項１〜４のいずれかに記載の空気調和システム。
【請求項６】
前記送風機が、前記空気調和装置から吹き出される空気とを混じり合わせて熱交換させるように空気を吹き出すようにすることを特徴とする請求項１〜５のいずれかに記載の空気調和システム。
【請求項７】
前記送風機は、前記空気調和装置から吹き出される空気を吸い込んで吹き出すことを特徴とする請求項１〜５のいずれかに記載の空気調和システム。
【請求項８】
前記送風機は、前記空調吹き出し流れの方向に並び、個別に制御可能な複数の送風手段を有することを特徴とする請求項１〜７のいずれかに記載の空気調和システム。
【請求項９】
前記空調対象空間に複数台の送風機を設けることを特徴とする請求項１〜８のいずれかに記載の空気調和システム。
【請求項１０】
前記空気調和装置の運転に連動させて前記送風機を運転することを特徴とする請求項１〜９のいずれかに記載の空気調和システム。
【発明の詳細な説明】
【技術分野】
【０００１】
この発明は、少なくとも空気調和装置および送風機を有して構成する空気調和システムに関するものである。特に消費するエネルギーを少なくし、効率よく空気調和を行うためのものである。
【背景技術】
【０００２】
従来の空気調和システムにおいて、空調対象空間となる室内など（以下、室内とする）を空気調和する際、第１室温センサで検出された温度と第２室温センサで検出された温度との差が所定値以上になったときに、空気調和機に連動させて、送風機となるサーキュレータの運転を行うものがあった（例えば、特許文献１参照）。
【先行技術文献】
【特許文献】
【０００３】
【特許文献１】特開２００４−１５０６７９号公報
【発明の概要】
【発明が解決しようとする課題】
【０００４】
上述の空気調和システムでは、送風機が床面付近の冷たい空気を吸い込んで、その空気を天井面に向けて吹き出して天井付近の暖かい空気と混合していた。その結果として、高さ方向に空気を攪拌することで、高さ方向の温度分布は略均一化できていた。ただ、高さ方向の温度分布が略均一になるのは送風機の吹き出す断面部分のみであった。
【０００５】
上述の空気調和システムでは、例えば送風機は、送風機の吸い込み、吹き出し流れが、空気調和装置の吸い込み、吹き出し流れに積極的に影響を与えない位置に設置されていた。このため、空気調和装置の吹き出し流れ方向の部分は空気調和がなされるが、吹き出し流れ方向以外の部分では空気調和がされにくく、水平方向の温度分布は不均一であり、かつ空気調和された部分と空気調和されない部分との温度差が大きくなっていた。また、例えば、送風機は、所定以上の温度差になると運転を開始するので、空気調和装置と送風機が同時に運転開始されるとは限らない。例えば送風機による空気の流れが空気調和装置による空気の流れに影響しないような場合に空気調和装置の吹き出し方向にいる人は、急激な温度変化にさらされることで不快に感じる可能性がある。
【０００６】
また、上述の空気調和システムは、一般的に空調不要な天井付近も空気調和することになるため、空気調和のために消費するエネルギーは多くなっていた。また、例えば空気調和したい部分が空気調和装置の吹き出し流れ方向以外の領域は直接空気調和できない。このため、その領域を所定の温度にしようとする場合には、空調したい部分の熱負荷よりも大きな能力が必要となり、消費するエネルギーが多くなる。そして、例えば、送風機が床面付近の冷たい空気を吸い込んで、天井面に向けて吹き出して天井付近の暖かい空気と混合していた。その結果、冷房時に天井付近の暖かい空気が床面に流れ、部分的に暖房状態になる可能性があった。
【０００７】
そこで、この発明は、特に室内の水平方向の温度分布などについて、少ない消費エネルギーで所望する空気調和を行うことができる空気調和システムを得るものである。
【課題を解決するための手段】
【０００８】
この発明に係る空気調和システムは、空気調和が行われる空調対象空間の上部にあって、空気調和した空気を吹き出すための空調吹き出し口を有する空気調和装置と、空調対象空間の空気を吸い込んで送風吹き出し口から吹き出す送風機とを備え、送風機について、高さ方向においては、送風吹き出し口が空調吹き出し口とほぼ同じ高さに位置するように、また、水平方向においては、送風吹き出し口から吹き出す空気の流れが、空気調和装置の空調吹き出し口から吹き出される空気の空調吹き出し流れと略直交する位置となり、互いの空気を衝突させて空気を拡散させる流れが生じるように配置する。
【発明の効果】
【０００９】
この発明の空気調和システムでは、送風機の高さ方向の設置位置を、空気調和装置の吹き出し口と送風機の吹き出し口とがほぼ同じ高さになるように設置し、送風機の水平面における設置位置を、空気調和装置の吹き出し口から吹き出される吹き出し流れと送風機の吹き出し口から吹き出される吹き出し流れが水平面で見た場合に略直交する位置に設けるようにしたので、水平方向の、主として人が活動する居住空間高さにおいて、温度分布を均一化、局所的な空気調和などをはかることができる。そして、空気調和が必要な領域を効率よく空気調和することができるため、空気調和に利用する消費エネルギーを少なくすることができる。
【図面の簡単な説明】
【００１０】
【図１】この発明の実施の形態１の空気調和システムを設置した室内の平面図である。
【図２】この発明の実施の形態１の空気調和システムを設置した室内の正面図である。
【図３】この発明の実施の形態１の空気調和システムを設置した室内の斜視図である。
【図４】送風機２がない場合の冷房時の居住空間高さにおける等温線である。
【図５】この発明の実施の形態１の空気調和システムにおける冷房時の居住空間高さの等温線である。
【図６】図４および図５における室内の温度分布などを比較した表を示す図である。
【図７】この発明の実施の形態２の空気調和システムにおける空気調和装置と送風機の距離の関係を説明するための図である。
【図８】送風機のない空気調和システムの空気調和装置の吹き出し口の中央部における正面図の冷房時の等温線の一例を示す図である。
【図９】この発明の実施の形態２の空気調和システムにおけるΔｘ／ＶｉｎとΔＴａｖｅ、ΔＴｍｉｎ、ΔＴｍａｘ、ΔＴの関係を示す図である。
【図１０】この発明の実施の形態３の空気調和システムにおけるＱｆａｎ／ＱｉｎとΔＴａｖｅ、ΔＴｍｉｎ、ΔＴｍａｘ、ΔＴの関係を示す図である。
【図１１】この発明の実施の形態４の空気調和システムにおける送風機の吹き出し口より吹き出される吹き出し流れの吹き出し角度θの関係を説明するための図である。
【図１２】この発明の実施の形態４の空気調和システムにおける送風吹き出し流れの吹き出し角度θに対する、最小温度Ｔｍｉｎとなる範囲の概略図である。
【図１３】この発明の実施の形態５の空気調和システムにおける送風吹き出し流れの吹き出し角度θを９０°＜θ＜１８０°の範囲で制御した場合の居住空間高さの冷房時の等温線の一例を示す図である。
【図１４】この発明の実施の形態７の空気調和システムにおける２台の送風手段２ａ、２ｂを有する送風機２の概略図である。
【図１５】この発明の実施の形態７の空気調和システムにおける送風手段２ａを正回転で駆動し、送風手段２ｂが停止した場合の居住空間高さの冷房時の等温線の一例を示す図である。
【図１６】この発明の実施の形態７の空気調和システムにおける送風手段２ｂを正回転で駆動し、送風手段２ａが停止した場合の居住空間高さの冷房時の等温線の一例を示す図である。
【図１７】この発明の実施の形態７の空気調和システムにおける送風手段２ａを逆回転で駆動し、送風手段２ｂが停止した場合の居住空間高さの冷房時の等温線の一例を示す図である。
【図１８】この発明の実施の形態７の空気調和システムにおける送風手段２ｂを逆回転で駆動し、送風手段２ａが停止した場合の居住空間高さの冷房時の等温線の一例を示す図である。
【図１９】この発明の実施の形態７の空気調和システムにおける送風手段２ａを逆回転で駆動し、送風手段２ｂを正回転で駆動した場合の居住空間高さの冷房時の等温線の一例を示す図である。
【図２０】この発明の実施の形態８の空気調和システムにおける送風機を２台とした場合の室内の平面図である。
【発明を実施するための形態】
【００１１】
実施の形態１．
この発明に係る実施の形態１の空気調和システムは、空調対象空間となる室内など（以下、室内とする）の、高さ方向については、送風機における空気の吹き出し口と空気調和装置における空気の吹き出し口とが同程度の高さに位置するようにする。また、水平面において、送風機が吹き出す空気が流れる方向と空気調和装置が吹き出す空気が流れる方向とが略直交するように配置する。このとき、各装置が吹き出す空気が互いに衝突などして混じり合って熱交換をし、また、空気の流れが拡散可能な範囲に配置するようにするものである。
【００１２】
図１はこの発明の実施の形態１における空気調和システムを設置した室内の平面図である。また、図２はこの発明の実施の形態１における空気調和システムを設置した室内の正面図である。そして、図３はこの発明の実施の形態１における空気調和システムを設置した室内の斜視図である。
【００１３】
図１〜３に示すように、本実施の形態の空気調和システムは、空気調和装置１と例えばサーキュレータなどの送風機２とを有し、空調対象空間である室内に設置している。空気調和装置１は、例えば冷媒回路を構成して、室内の空気を加熱、冷却などして空気調和を行うための装置である。本実施の形態の空気調和装置１は、室内の空気を空気調和装置１本体内に吸い込む吸い込み口３（以下、空調吸い込み口３という）と、吸い込んだ空気を熱交換する熱交換部４と、熱交換部４が熱交換した空気を空気調和装置１本体外（室内）に吹き出す吹き出し口５（以下、空調吹き出し口５という）とを室内に備えている。ここで、本実施の形態の空気調和装置１は、図１などに示すように、送風機２設置側とその反対側に空調吹き出し口５を有し、２カ所から空気調和に係る空気を吹き出すものとする。
【００１４】
また、送風機２は、室内の空気を送風機２本体内に吸い込む吸い込み口６（以下、送風吸い込み口６という）と、吸い込んだ空気を送風機２本体外（室内）に吹き出す吹き出し口７（以下、送風吹き出し口７という）とを備えている。ここで、本実施の形態においては、送風機２における送風吸い込み口６と送風吹き出し口７とは略直線上に並んでいるものとする。
【００１５】
空調吹き出し口５から吹き出される吹き出し流れ８（以下、空調吹き出し流れ８という）は空調吹き出し口５から吹き出す、例えば空気調和がなされた空気による流れ（空気を含む。以下、同じ）である。また、送風吹き出し口から吹き出される吹き出し流れ９（以下、送風吹き出し流れ９という）は、送風吹き出し口７から吹き出す空気の流れである。そして、拡散流れ１０は、空調吹き出し流れ８と送風吹き出し流れ９とが混ざり合い、多方向に拡散する空気の流れである。循環流れ１１は、室内を循環する空気の流れである。循環流れ１１には、例えば、空気調和されていない空気の流れ、例えば、空調吹き出し口５から吹き出された空調吹き出し流れ８における空気の流れを含む。
【００１６】
ここで、空気調和装置１は、空調対象空間の上部である例えば天井付近（居住空間高さよりも上側）に設置される。一方、送風機２は、高さ方向（上下方向）については、空調吹き出し口５と送風吹き出し口７とがほぼ同じ高さになるような位置に設置される。また、送風機２の水平面についての設置位置は、空調吹き出し口５から吹き出される空調吹き出し流れ８と送風吹き出し口７から吹き出される送風吹き出し流れ９とが、水平面について、略直交して、例えば衝突などするように配置する。ここで、互いの空気が混じりあって熱交換し、空気の流れが拡散可能となるような範囲（拡散流れ１０が生じるような範囲）に配置する。
【００１７】
次に、以上のように構成された空気調和システムの動作について説明する。空気調和装置１の運転を開始すると、送風機２の運転も開始する。空気調和装置１が冷房または暖房運転すると、空調吸い込み口３から室内の空気を吸い込み、空気調和装置１内の熱交換部４を通過して、空調吹き出し口５より熱交換された冷たい空気または暖かい空気を室内に吹き出す。また、送風機２は、送風機２の送風吸い込み口６から室内の空気を吸い込み、吸い込んだ空気を送風吹き出し口７より室内に吹き出す。
【００１８】
送風吹き出し口７より吹き出された送風吹き出し流れ９は、空調吹き出し口５より吹き出された空気調和が行われた空調吹き出し流れ８と衝突して混じりあい、互いの空気を熱交換した拡散流れ１０が生じる。この拡散流れ１０の方向は、空調吹き出し流れ８と送風吹き出し流れ９とが衝突することで一方向ではなく、多方向に拡散する流れとなる。
【００１９】
また、送風機２が室内の空気を送風吸い込み口６から吸い込むときに、水平面方向について循環流れ１１が生じる。循環流れ１１は、前述したように、空気調和されていない空気と、空気調和された空気とが含まれる。そのため、循環している間に、循環流れ１１における空気調和されていない空気と空気調和された空気とが混合し、互いが熱交換する。
【００２０】
以上のように、送風機２の配置位置について、高さ方向においては、空調吹き出し口５と送風吹き出し口７とがほぼ同じ高さとなるようにする。一方、送風機２の平面における位置については、空調吹き出し口５から吹き出される空調吹き出し流れ８と送風吹き出し口７から吹き出される送風吹き出し流れ９とが水平面に関し、略直交するように衝突して混じり合い、互いの空気を熱交換させ、流れが拡散可能な範囲で配置している。このため、室内の空気に拡散流れ１０と循環流れ１１とが生じることになる。
【００２１】
ここで、拡散流れ１０は、空調吹き出し口５からの空気調和された空調吹き出し流れ８と送風吹き出し口７からの送風吹き出し流れ９とが混合して熱交換が行われた空気であるため、空調吹き出し流れ８の温度に比べると室内温度との差が小さくなる。また、拡散流れ１０は、空調吹き出し流れ８の方向以外にも、室内の多くの領域に空気が拡散していく。
【００２２】
一方、循環流れ１１によって、送風機２設置側とは反対側の空調吹き出し口５から空気調和された空調吹き出し流れ８の一部を含む空気が水平面において循環する。このとき、空気調和されていない空気と空気調和された空気とが混じりあい熱交換するため、空気調和された空調吹き出し流れ８の温度に比べると室内温度との温度差が小さくなる。また、水平面で見た場合に、送風機２の吹き出し方向と空気調和装置１の吹き出し方向とを略直交させることで、循環流れ１１の発生を促進し、室内を循環する範囲が広くなる。
【００２３】
このように、拡散流れ１０と循環流れ１１とによって、空気調和装置１が空気調和した空気を多方面に搬送するとともに、空気調和された空気の温度を室内温度と近づけることができる。このため同一平面でみた場合に局所的に室内温度との温度差が大きい部分が減少し、水平面の温度分布を均一に近づけることが可能となる。
【００２４】
図４は送風機２のない空気調和システムにおける居住空間高さの冷房時の等温線を示す図である。また、図５は実施の形態１のように、送風機２を有する空気調和システムにおける居住空間高さの冷房時の等温線を示す図である。室内の温度差などに関して、冷房時について例を挙げて説明する。ここで、図４および図５に示す等温線は１℃刻みで引かれた線である。等温線が密集している箇所ほど位置による温度勾配が大きい。このため、人が不快感を感じやすい傾向にある。また、等温線の数が多いほど温度分布にムラがある。以上のことから、等温線が密集していなければ快適であり、等温線が少なければ温度分布が均一に近づくことになる。図５のＴｍｉｎは図４のＴｍｉｎよりも１℃高く、Ｔｍａｘは図４と図５とで同じ温度である。
【００２５】
図６は図４および図５における室内の温度分布などを比較して示した表を示す図である。図６では、送風機２を設置した空気調和システムの居住空間高さの水平面におけるそれぞれの平均温度と、送風機２のない空気調和システムの居住空間高さの水平面における平均温度との差を平均温度差ΔＴａｖｅとして示している。また、居住空間高さの平面における最小温度をＴｍｉｎとし、平均温度との温度差を最小温度差ΔＴｍｉｎとして示している。さらに、居住空間高さの平面における最大温度Ｔｍａｘとし、平均温度との温度差を最大温度差ΔＴｍａｘとして示している。そして、居住空間高さの平面における最大温度Ｔｍａｘと最小温度Ｔｍｉｎとの温度差を大小温度差ΔＴ（＝最大温度差ΔＴｍａｘ＋最小温度差ΔＴｍｉｎ）として示している。
【００２６】
図４、図５および図６より、送風機２を上記に配置した本実施の形態の空気調和システムは、送風機２のない空気調和システムに比べて冷房時の平均温度を０．５℃低くすることができる。このため、例えば送風機２を設置していない空気調和システムと同等の平均温度にする場合には、空気調和装置１の能力を低減することができる。したがって、空気調和に際して消費するエネルギーを減らすことができる。
【００２７】
また、送風機２を上記に配置した本実施の形態の空気調和システムでは、送風機２のない空気調和システムに比べて、最小温度差は１．５℃狭まる。最大温度差が同じであるため、大小温度差ΔＴは最小温度差で決まることになり、１．５℃小さくなる。つまり送風機２のない空気調和システムに比べ温度分布が平坦になる。これらのことより、快適性を向上させつつ、消費するエネルギーを減らすことが可能である。
【００２８】
そして、拡散流れ１０、循環流れ１１は、空調吹き出し流れ８と送風吹き出し流れ９とが混じりあい熱交換することで室内温度との温度差を小さくするため、高さ方向の温度分布が急激に変化しない。そして、天井付近の温度の高い空気が床面に吹き降りてくることもないので、部分的に暖房状態になることを防ぐことができる。
【００２９】
実施の形態２．
実施の形態２では、空気調和装置１と送風機２との距離による影響について説明する。
【００３０】
図７は空気調和装置１と送風機２の距離の関係を説明するための図である。ここで、Δｘは空調吹き出し口５より吹き出される空調吹き出し流れ８方向に対する空気調和装置１と送風機２との距離を示す。また、Δｙは空調吹き出し口５より吹き出される空調吹き出し流れ８に直交する方向に対する空気調和装置１と送風機２との距離を示す。ここで、本実施の形態の送風機２は、空気調和装置１からの信号等に基づいて、送風機２に関する制御を行うための送風側制御装置１００および送風機２の位置を変更するための移動手段１０１を有しているものとする。また、空気調和装置１は、空気調和装置１が有する機器の制御を行うための空調側制御装置１０２を有しているものとする。ここで、本実施の形態における制御処理を行うためには、送風側制御装置１００および移動手段１０１か、空調側制御装置１０２かの少なくとも一方を有していればよい。
【００３１】
図８は送風機２のない空気調和システムの空調吹き出し口５の中央部における正面図の冷房時の等温線の一例を示す図である。本実施の形態では、冷房時を例に、空調吹き出し口５より吹き出された直後の吹き出し風速（Ｖｉｎ）と距離の比に基づいて整理する。図８に示すように、空調吹き出し口５より吹き出された空調吹き出し流れ８は、室内の温度よりも低い温度で吹き出される。吹き出された空気は、空気調和装置１より離れるにつれて風速が遅くなるため、風速よりも浮力の影響が強くなり、室内の温度との温度差により下降する。そのため、空気調和装置１と送風機２を設置する空気調和システムにおいて効果的に拡散流れ１０と循環流れ１１を発生させるためのΔｘ／Ｖｉｎの範囲を決定する。
【００３２】
図９はΔｘ／ＶｉｎとΔＴａｖｅ、ΔＴｍｉｎ、ΔＴｍａｘ、ΔＴの関係を示す図である。図９に示す結果より、例えば０．２＜Δｘ／Ｖｉｎ＜０．５の範囲に送風機２を位置させることで、ΔＴａｖｅ、ΔＴｍｉｎ、ΔＴを改善することができ、実施の形態１に示す効果と同様の効果を得ることができる。一方、例えば０＜Δｘ／Ｖｉｎ＜０．２の範囲では、ΔＴｍｉｎ、ΔＴは改善できるが、ΔＴａｖｅは改善されていないことがわかる。これは、拡散流れ１０が室内の空気調和に使用される前に空調吸い込み口３に吸い込まれてしまうからである。
【００３３】
ここで、空気調和装置１と送風機２の空気調和システムで効果的に拡散流れ１０と循環流れ１１を発生させるため、０．２＜Δｘ／Ｖｉｎ＜０．５の範囲外になった場合には、Δｘ／Ｖｉｎを範囲内に戻せばよい。このとき、自動的に送風機２を移動させる（Δｘを変化させる）場合と、自動的にＶｉｎを変更する場合とが考えられる。ここで、例えば移動手段１０１を有していない場合（Δｘが固定である場合）には空調側制御装置１０２がＶｉｎを変更する処理を行って０．２＜Δｘ／Ｖｉｎ＜０．５を満たすようにする。
【００３４】
次に移動手段１０１により送風機２を移動させる場合について説明する。送風側制御装置１００が処理を行うためのΔｘに関するデータについては、例えば互いの位置情報を事前に登録する、位置情報を検出できるセンサー（例えばＧＰＳ等の位置検出手段）を備えるなどの方法が考えられる。また、Ｖｉｎに関するデータなどについては、例えば無線や有線の信号に含めて送風機２に伝達可能にし、送風機２はＶｉｎに基づいて制御を行うようにするとよい。ここで、送風機２に伝達するデータの内容は、Ｖｉｎ、Δｘ、Δｘ／Ｖｉｎである必要はなく、例えば０．２＜Δｘ／Ｖｉｎ＜０．５の範囲に入るように制御できればよい。
【００３５】
また、自動的に送風機２を移動させるには、例えば空調吹き出し流れ８の方向に沿って天井にレール等を敷くなどして、送風機２を移動させることができる移動手段１０１を設け、移動可能にすることで達成することができる。そして、例えば空調吹き出し口５より吹き出される風速が変化した場合には、例えば風速に関する信号を受けた送風機２は、０．２＜Δｘ／Ｖｉｎ＜０．５の範囲内となるように移動手段１０１による移動を行い、自動的に送風機２の位置を移動調整するようにするとよい。
【００３６】
以上のように、空調吹き出し口５より吹き出される空調吹き出し流れ８方向に対する空気調和装置１と送風機２の距離Δｘと空調吹き出し口５より吹き出された直後の吹き出し風速Ｖｉｎとの比Δｘ／Ｖｉｎが、０．２＜Δｘ／Ｖｉｎ＜０．５を満たすように、送風側制御装置１００、空調側制御装置１０２が、Δｘ、Ｖｉｎを制御するようにしたので、ΔＴａｖｅ、ΔＴｍｉｎ、ΔＴを改善することができ、実施の形態１に示す効果と同様の効果を得ることができる。
【００３７】
また、拡散流れ１０、循環流れ１１は、空調吹き出し流れ８と送風吹き出し流れ９とが混じりあい熱交換することで室内温度との温度差を小さくするため、高さ方向の温度分布が急激に変化しない。そして、天井付近の温度の高い空気が床面に吹き降りてくることもないので、部分的に暖房状態になることを防ぐことができる。
【００３８】
実施の形態３．
実施の形態３では、空調吹き出し口５より吹き出される風量（Ｑｉｎ）と送風吹き出し口７より吹き出される風量（Ｑｆａｎ）、これらの風量比（Ｑｆａｎ／Ｑｉｎ）による影響について、冷房時を例に説明する。
【００３９】
例えば、風量比が小さいと拡散流れ１０の方向は、空調吹き出し口５より吹き出される空調吹き出し流れ８方向とほとんど変化しない。また、循環流れ１１の発生も小さくなる。そのため、送風機２を設置しない空気調和システムとほとんど変わらなくなる。逆に風量比が大きいと、拡散流れ１０の方向は、空調吹き出し口５より吹き出される空調吹き出し流れ８よりも、送風吹き出し口７より吹き出される送風吹き出し流れ９の方向が支配的になり、拡散の効果がなくなる。例えば、送風機２のない空気調和システムでは空調吹き出し流れ８方向に最小温度が生じていたが、風量比が大きくなると送風吹き出し流れ９の方向に最小温度が生じるように変化しただけである。また循環流れ１１が室内において狭い範囲を循環することになり、効果的な循環流れ１１ではなくなる。そのため、空気調和装置１と送風機２の空気調和システムで効果的に拡散流れ１０と循環流れ１１を発生させるためのＱｆａｎ／Ｑｉｎの範囲を決定する。
【００４０】
図１０はＱｆａｎ／ＱｉｎとΔＴａｖｅ、ΔＴｍｉｎ、ΔＴｍａｘ、ΔＴの関係を示す図である。図１０に示す結果より、０．５＜Ｑｆａｎ／Ｑｉｎ＜０．９の範囲に風量比Ｑｆａｎ／Ｑｉｎを設定することで、ΔＴａｖｅ、ΔＴｍｉｎ、ΔＴを改善することができ、実施の形態１に示す効果と同様の効果を得ることができる。一方、０＜Ｑｆａｎ／Ｑｉｎ＜０．５の範囲では、ΔＴｍｉｎは改善できるがΔＴａｖｅ、ΔＴは改善されていないことがわかる。これは前述した通り拡散流れ１０の方向が、空調吹き出し口５より吹き出される空調吹き出し流れ８方向とほとんど変化しないためである。また、０．９＜Ｑｆａｎ／Ｑｉｎの範囲では、ΔＴｍｉｎは改善できるがΔＴａｖｅ、ΔＴは改善されていないことがわかる。これは前述した通り、拡散流れ１０の方向が、空調吹き出し流れ８に直交する送風吹き出し流れ９の方向が支配的になることで、拡散の効果がなくなるためである。
【００４１】
例えば、空気調和装置１と送風機２の空気調和システムで効果的に拡散流れ１０と循環流れ１１を発生させるため、例えば、送風機２が有する送風側制御装置１００は空気調和装置１側から風量Ｑｉｎに係る信号を受信する。そして、例えば０．５＜Ｑｆａｎ／Ｑｉｎ＜０．９の範囲外になったものと判断すると、風量Ｑｆａｎを調整し、０．５＜Ｑｆａｎ／Ｑｉｎ＜０．９の範囲に入るように制御する。ここでは、送風側制御装置１００が風量Ｑｉｎに係る信号を受信してＱｆａｎを制御するようにしたが、例えば送風機２が吹き出す風量Ｑｆａｎを、上述した空調側制御装置１０２が決定し、指示の信号を送風機２に送信するようにしてもよい。ここでも、空調吹き出し口５より吹き出される風量が変化した情報を送風機２に伝達する手段として、有線もしくは無線での信号が考えられる。
【００４２】
以上のように、例えば送風側制御装置１００、空調側制御装置１０２が空調吹き出し口５より吹き出される風量（Ｑｉｎ）と送風吹き出し口７より吹き出される風量Ｑ（ｆａｎ）と風量比（Ｑｆａｎ／Ｑｉｎ）を０．５＜Ｑｆａｎ／Ｑｉｎ＜０．９の範囲に入るように制御するようにしたので、ΔＴａｖｅ、ΔＴｍｉｎ、ΔＴを改善することができ、実施の形態１に示す効果と同様の効果を得ることができる。
【００４３】
また、拡散流れ１０、循環流れ１１は、空調吹き出し流れ８と送風吹き出し流れ９とが混じりあい熱交換することで室内温度との温度差を小さくするため、高さ方向の温度分布が急激に変化しない。そして、天井付近の温度の高い空気が床面に吹き降りてくることもないので、部分的に暖房状態になることを防ぐことができる。
【００４４】
実施の形態４．
実施の形態４では、送風吹き出し口７より吹き出される送風吹き出し流れ９の吹き出し角度による影響について説明する。上述の実施の形態１〜３においては、室内の水平面における温度分布を、少ない消費エネルギーで略均一化することに着目していた。本実施の形態では、空気調和装置１と送風機２を設置した空気調和システムについて、局所的に空気調和をしたい場合について説明する。
【００４５】
図１１は送風吹き出し口７より吹き出される送風吹き出し流れ９の吹き出し角度θの関係を説明するための図である。例えば、送風吹き出し口７より吹き出される送風吹き出し流れ９の方向に対して、送風機２の周辺を空気調和したい場合には、送風機２の吹き出し角度θを０°＜θ＜９０°の範囲で、送風機２の吹き出し角度θを大きくする。また、送風機２から離れた場所を空気調和したい場合には、送風機２の吹き出し角度θを０°＜θ＜９０°の範囲で、送風機２の吹き出し角度θを小さくすれば良い。このとき、実施の形態２、３で示す、０．２＜Δｘ／Ｖｉｎ＜０．５、０．５＜Ｑｆａｎ／Ｑｉｎ＜０．９の条件を満たしていると、局所的に空気調和ができるとともに、実施の形態１に示す効果と同様の効果を得ることができる。一方で、実施の形態１などで示したように、拡散流れ１０、循環流れ１１などを効果的に発生させる必要がなければ、例えば０．９＜Ｑｆａｎ／Ｑｉｎとすることで、送風吹き出し流れ９の風量を大きくすることで、さらに効果的な局所的な空気調和が可能になる。
【００４６】
図１２は送風吹き出し口７より吹き出される送風吹き出し流れ９の吹き出し角度θに対する最小温度Ｔｍｉｎとなる範囲の概略を示す図である。送風吹き出し口７より吹き出される送風吹き出し流れ９の吹き出し角度θは、マニュアル（手動）での変更以外にも、人の位置や発熱状況を検出などすることによって、自動的に変更することも可能である。例えば赤外線センサーなどの非接触のセンサーを用いて、居住空間の発熱に関するセンシングを行う。送風機２は、発熱に係るデータに基づいて、送風吹き出し口７より吹き出される送風吹き出し流れ９の吹き出し角度θを変更、維持などの制御を行う。制御については、例えば上述した送風側制御装置１００が制御に係る処理を行う。
【００４７】
以上のように、送風吹き出し口７より吹き出される送風吹き出し流れ９の吹き出し角度θを変更することで、局所的に空気調和したい空間を、効果的に空気調和することができる。また、０．２＜Δｘ／Ｖｉｎ＜０．５、０．５＜Ｑｆａｎ／Ｑｉｎ＜０．９の条件を満たしていると、局所的に空気調和ができるとともに、実施の形態１に示す効果と同様の効果を得ることができる。
【００４８】
空調吹き出し口５より吹き出された空気調和された空調吹き出し流れ８は送風吹き出し口７より吹き出された送風吹き出し流れ９と混じりあい熱交換されるため、空気調和された空調吹き出し流れ８の温度に比べると室内温度との温度差が小さくなり、高さ方向の温度分布が急激に変化しないとともに、天井付近の暑い空気を床面に吹き降ろすこともないので、部分的に暖房状態になるのも防ぐことができる。
【００４９】
実施の形態５．
実施の形態５では、現状の送風吹き出し口７と反対側を空気調和したい場合について、冷房時を例に説明する。現状の送風吹き出し口７より吹き出される送風吹き出し流れ９の方向に対して、１８０度逆の方向にある空間を空気調和したい場合には、例えば実施の形態４で示した送風吹き出し口７より吹き出される送風吹き出し流れ９の吹き出し角度θを９０°＜θ＜１８０°の範囲で制御するようにする。また、空気調和された空調吹き出し流れ８を送風機２に吸い込み、空気調和された空気を送風吹き出し口７より吹き出すようにするとよい。
【００５０】
ここで、送風吹き出し口７より吹き出される送風吹き出し流れ９の吹き出し角度θは、実施の形態４と同様に自動的に制御可能である。制御については、例えば上述した送風側制御装置１００が制御に係る処理を行う。このとき、空調吹き出し口５より吹き出された空気調和された吹き出し空気は、室温と熱交換され送風機２に吸い込まれることになり、空調吹き出し口５より吹き出された空気の一部は拡散流れ１０になる。また、実施の形態１〜４で示した流れとは逆周りの循環流れ１１が生じる。
【００５１】
送風機２の周辺を空気調和したい場合には、送風機２の吹き出し角度θを９０°＜θ＜１８０°の範囲で送風機２の吹き出し角度θを小さくし、送風機２から離れた場所を空気調和したい場合には、送風機２の吹き出し角度θを９０°＜θ＜１８０°の範囲で送風機２の吹き出し角度θを大きくすればよい。このとき、実施の形態２、３で示す、０．２＜Δｘ／Ｖｉｎ＜０．５、０．５＜Ｑｆａｎ／Ｑｉｎ＜０．９の条件を満たしていると、局所的に空気調和ができるとともに、実施の形態１に示す効果と同様の効果を得ることができる。
【００５２】
図１３は送風吹き出し口７より吹き出される送風吹き出し流れ９の吹き出し角度θを９０°＜θ＜１８０°の範囲で制御した場合の居住空間高さの冷房時の等温線を示す図である。０°＜θ＜９０°の範囲で制御した場合との違いは、まず、空気調和される方向が逆方向になる。また、空調吹き出し口５より吹き出された空気調和された空調吹き出し流れ８を送風機２に吸い込むため、空調吹き出し流れ８が９０°曲がりきれない。このため、空調吹き出し口５より吹き出された空調吹き出し流れ８方向に対して、送風機２よりも下流側の送風機２の吹き出し側に最小温度が発生する。
【００５３】
以上のように、送風吹き出し口７より吹き出される送風吹き出し流れ９の吹き出し角度θを９０°＜θ＜１８０°の範囲において変更することで、現状の送風吹き出し口７と反対側を局所的に空気調和したい空間を効果的に空気調和することができる。また、０．２＜Δｘ／Ｖｉｎ＜０．５、０．５＜Ｑｆａｎ／Ｑｉｎ＜０．９の条件を満たしていると、局所的に空気調和ができるとともに、実施の形態１に示す効果と同様の効果を得ることができる。
【００５４】
空調吹き出し口５より吹き出された空気調和された空調吹き出し流れ８は送風吹き出し口７より吹き出された送風吹き出し流れ９と混じりあい熱交換されるため、空気調和された空調吹き出し流れ８の温度に比べると室内温度との温度差が小さくなり、高さ方向の温度分布が急激に変化しないとともに、天井付近の暑い空気を床面に吹き降ろすこともないので、部分的に暖房状態になるのも防ぐことができる。
【００５５】
実施の形態６．
実施の形態６では、現状の送風吹き出し口７と反対側を空気調和したい場合の実施の形態５と別の対応について、冷房時を例に説明する。現状の送風吹き出し口７より吹き出される送風吹き出し流れ９の方向に対して、１８０度逆の方向を空気調和したい場合には、送風機２の回転方向を逆転させる。そして、空調吹き出し口５より吹き出された空気調和された空調吹き出し流れ８を送風機２に吸い込み、空気調和された空気を送風機２の送風吹き出し口７より吹き出すようにするとよい。
【００５６】
ここで、送風機２の回転方向が逆転すると流れ方向が逆転する。この時、空調吹き出し口５より吹き出された空気調和された空調吹き出し流れ８は、室内の空気と熱交換されて送風機２に吸い込まれる。また、空調吹き出し口５より吹き出された空気の一部は拡散流れ１０になる。また、図１などに示す実施の形態１〜４とは逆周りの循環流れ１１が生じる。空気調和したい位置の制御については、実施の形態４で説明したように、送風機２の吹き出し角度θを制御するようにすればよい。
【００５７】
送風機２を逆回転させた場合の居住空間高さの冷房時の等温線は、図１３と同様になる。実施の形態１などで示した送風機２を正回転した場合（送風機２の送風吹き出し流れ９が空調吹き出し口５から吹き出された空調吹き出し流れ８に向かって流れる場合）との違いは、まず、空気調和される方向が逆方向になる。また、空調吹き出し口５より吹き出された空気調和された空調吹き出し流れ８を送風機２に吸い込むため、空調吹き出し流れ８が９０°曲がりきれない。このため、空調吹き出し口５より吹き出された空調吹き出し流れ８方向に対して、送風機２よりも下流側の送風機２の吹き出し側に最小温度が発生する。この正回転、逆回転については、実施の形態４に示したセンシングを適用すれば自動制御を行うことも可能である。
【００５８】
以上のように、実施の形態６の空気調和システムでは、現状の送風機２の回転方向を逆回転に制御できるようにしたので、現状の送風吹き出し口７と反対側を局所的に空気調和したい空間を効果的に空気調和することができる。また、０．２＜Δｘ／Ｖｉｎ＜０．５、０．５＜Ｑｆａｎ／Ｑｉｎ＜０．９の条件を満たしていると、局所的に空気調和ができるとともに、実施の形態１に示す効果と同様の効果を得ることができる。
【００５９】
また、空調吹き出し口５より吹き出された空気調和された空調吹き出し流れ８は送風吹き出し口７より吹き出された送風吹き出し流れ９と混じりあい熱交換されるため、空気調和された空調吹き出し流れ８の温度に比べると室内温度との温度差が小さくなり、高さ方向の温度分布が急激に変化しないとともに、天井付近の暑い空気を床面に吹き降ろすこともないので、部分的に暖房状態になるのも防ぐことができる。
【００６０】
実施の形態７．
実施の形態７では、送風機２が空調吹き出し流れ８の方向に並んだ複数の送風手段２ａ、２ｂを有し、送風手段２ａ、２ｂを個別に制御して運転することができる空気調和システムについて、冷房時を例に説明する。制御については、例えば上述した送風側制御装置１００が制御に係る処理を行う。本実施の形態では、局所的に空気調和を行いたい場合について説明する。空気調和装置１と送風機２との位置などについては、実施の形態１などと同様に、空調吹き出し流れ８と送風吹き出し流れ９とが略直交し、流れが拡散可能な範囲に配置するようにする。
【００６１】
図１４は実施の形態７に係る送風機２の構成を示す図である。前述したように、本実施の形態の空気調和システムでは、送風機２は空調吹き出し流れ８の方向に並んだ複数の送風手段２ａ、２ｂ（図１４では２台）を有している。送風手段２ａ、２ｂは、送風機２内で送風を行う手段である。本実施の形態においては、空気調和装置１から近い位置にある方を送風手段２ａとし、遠い位置にある方を送風手段２ｂとする。送風手段２ａ、２ｂは個別に駆動制御を行えるものとする。また、例えば実施の形態６で示したように、正回転だけでなく逆回転も行うことができるものとする。
【００６２】
例えば、局所的に空気調和したい場所と空気調和したくない場所が隣接していた場合には、空気調和したい場所側の送風機を運転させ、局所的に空気調和したくない場所側の送風機を停止させるように制御することで、室内において、きめ細かな空気調和を行うことが可能になる。また、一部の送風手段を正回転で運転し、他の送風手段２ａを逆回転で運転することで、方向が一致していない箇所に対して同時に空気調和を行うようなことも可能になる。これらの制御を自動的に行うことも可能である。
【００６３】
図１５は送風手段２ａを正回転で運転し、送風手段２ｂを停止した場合の居住空間高さにおける冷房時の等温線の一例を示す図である。また、図１６は、送風手段２ａを停止し、送風手段２ｂを正回転で運転した場合の居住空間高さにおける冷房時の等温線の一例を示す図である。図１５および図１６に示すように、送風手段２ａ、２ｂの一方を正回転で運転し、他方を停止させることにより、室内において送風吹き出し流れ９の位置が変わり、空気調和を行う位置を変化させることができる。
【００６４】
図１７は送風手段２ａを逆回転で運転し、送風手段２ｂを停止した場合の居住空間高さにおける冷房時の等温線の一例を示す図である。また、図１８は、送風手段２ａを停止し、送風手段２ｂを逆回転で運転した場合の居住空間高さにおける冷房時の等温線の一例を示す図である。図１７および図１８に示すように、送風手段２ａ、２ｂの一方を逆回転で運転し、他方を停止させることによっても、室内において送風吹き出し流れ９の位置が変わり、空気調和を行う位置を変化させることができる。
【００６５】
図１９は送風手段２ａを逆回転で運転し、送風手段２ｂを正回転で運転した場合の居住空間高さにおける冷房時の等温線の一例を示す図である。図１９に示すように、室内の離れた２カ所に対して同時に空気調和を行うことができる。
【００６６】
以上のように、送風機２の中に複数の送風手段２ａ、２ｂを有し、送風手段２ａ、２ｂを個別に駆動制御できるようにしたので、局所的な空気調和をきめ細かく行うことができる。また、０．２＜Δｘ／Ｖｉｎ＜０．５、０．５＜Ｑｆａｎ／Ｑｉｎ＜０．９の条件を満たしていると、局所的に空気調和ができるとともに、実施の形態１に示す効果と同様の効果を得ることができる。
【００６７】
空調吹き出し口５より吹き出された空気調和された空調吹き出し流れ８は送風吹き出し口７より吹き出された送風吹き出し流れ９と混じりあい熱交換されるため、空気調和された空調吹き出し流れ８の温度に比べると室内温度との温度差が小さくなり、高さ方向の温度分布が急激に変化しないとともに、天井付近の暑い空気を床面に吹き降ろすこともないので、部分的に暖房状態になるのも防ぐことができる。
【００６８】
実施の形態８．
実施の形態８においては、送風機２を複数台有する空気調和システムについて、冷房時を例に説明する。上述した実施の形態１〜７は、送風機２を１台設置していたが、例えば複数台の送風機２を設置すれば、より効果的に空気調和を行うことが可能になる。空気調和装置１と送風機２との位置などについては、実施の形態１などと同様に、空調吹き出し流れ８と送風吹き出し流れ９とが略直交し、流れが拡散可能な範囲に配置するようにする。
【００６９】
図２０はこの発明の実施の形態８における空気調和システムを設置した室内の平面図である。図２０に示すように送風機２が例えば２台あった場合、１台は実施の形態１〜７で説明した位置とし、もう１台は前記の１台に対して空気調和装置１を中心として略点対称の位置に設置する。ここで、本実施の形態では、各送風機２の送風吹き出し口７から吹き出される送風吹き出し流れ９は、実施の形態１などで説明したように、空調吹き出し口５から吹き出される空調吹き出し流れ８と衝突させて拡散させる方向に流れるものとする。
【００７０】
前述したように、空調吹き出し口５から吹き出される空調吹き出し流れ８は２方向に流れる。それぞれの空調吹き出し流れ８に対し、２台の送風機２により、略直交する方向から送風吹き出し流れ９を衝突させることで、空調吹き出し流れ８の両方に対して、拡散流れ１０が発生するとともに、循環流れ１１も送風機２が１台の場合よりも活性化する。
【００７１】
以上のように、実施の形態８の空気調和システムによれば、送風機２を２台使用して、１台は実施の形態１〜７の位置、他方は前記の１台に対して空気調和装置１を中心とした略点対称の位置に配置することで、空調吹き出し口５から吹き出される空調吹き出し流れ８の両方に対して、拡散流れ１０が発生するとともに、循環流れ１１も送風機２が１台の場合よりも活性化することができる。このため、ΔＴａｖｅ、ΔＴｍｉｎ、ΔＴを改善することができ、実施の形態１に示す効果と同様の効果を得ることができる。これらのことより、快適性を向上させつつ、消費するエネルギーを減らすことが可能である。
【００７２】
空調吹き出し口５より吹き出された空気調和された空調吹き出し流れ８は送風吹き出し口７より吹き出された送風吹き出し流れ９と混じりあい熱交換されるため、空気調和された空調吹き出し流れ８の温度に比べると室内温度との温度差が小さくなり、高さ方向の温度分布が急激に変化しないとともに、天井付近の暑い空気を床面に吹き降ろすこともないので、部分的に暖房状態になるのも防ぐことができる。
【００７３】
実施の形態９．
上述した実施の形態１〜８では、空気調和装置１と送風機２との位置関係について説明した。本実施の形態では、空気調和装置１、送風機２を設置している室内との関係について、特に空調吹き出し口５から吹き出される空調吹き出し流れ８の流れ方向の壁による影響などについて説明する。
【００７４】
例えば、空調吹き出し口５から吹き出される空調吹き出し流れ８が流れる方向の壁が近くにあると、空調吹き出し口５から吹き出される空調吹き出し流れ８が、壁により曲げられ拡散流れ１０が促進される。
【００７５】
一方で、空調吹き出し口５から吹き出される空調吹き出し流れ８が流れる方向の壁が近すぎると、拡散流れ１０は壁近傍にだけ発生するため、拡散効果は小さくなる。その代わりに循環流れ１１が促進される。
【００７６】
また、送風吹き出し口７から吹き出される送風吹き出し流れ９が流れる方向の壁による影響については、送風吹き出し流れ９の流れる方向の壁が近くにあると、送風吹き出し流れ９が壁により曲げられるため、循環流れ１１が促進される。
【００７７】
以上のように、空気調和装置１、送風機２が設置されている空間に壁がある場合には、空調吹き出し口５から吹き出される空調吹き出し流れ８や、送風吹き出し口７から吹き出される送風吹き出し流れ９が、壁の影響を受けて、効果的に拡散流れ１０、循環流れ１１が生成されることになる。
【００７８】
実施の形態１０．
上述した実施の形態１などにおいては、空気調和装置１は、２つの空調吹き出し口５から２方向の空調吹き出し流れ８を形成していたが、特に限定するものではなく、例えば１方向、３方向、４方向に空調吹き出し流れ８を形成するようにしてもよい。そして、空調吹き出し口５に合わせて送風機２を設置するようにしてもよい。
【００７９】
また、送風機２の送風吸い込み口６と送風吹き出し口７とが略直線上に並んでいるものとして説明したが、特に限定するものではない。また、上述した実施の形態では冷房運転を例に説明したが、暖房運転についても適用することができる。
【００８０】
送風機２の風量などの制御を送風側制御装置１００が行うようにし、送風機２が有するものとしたが、これに限定するものではない。例えば、送風機２だけでなく、リモートコントローラ、空気調和装置１を構成する室内機、室外機などの機器が有するようにしてもよい。
【００８１】
さらに、上述の実施の形態では特に言及していないが、送風機２に、例えば、加湿フィルター、空気清浄フィルター、香り搬送フィルター（アロマオイルなどによる香りを部屋に満たしたい場合などに用いるフィルター）、補助ヒーターなどを設置することができる。また、各機器単品での風速分布や温度分布の情報を制御手段の機器にもたせ、空気調和装置、送風機２の位置情報と照合し、空気調和装置１と送風機２の運転（風向き、風量など）を制御するようにしてもよい。
【００８２】
また、室内の空気調和を行う際、例えば社員証などに埋め込まれたＩＣタグに好みの空気調和情報、座席位置などのデータを記憶させておき、室内にいる人の非接触通信で人の位置情報、好み空気調和を認識し、例えば、送風手段２ａなどを決定するなど、風の吹き分けなどを行うようにしてもよい。さらに、例えば社員証などに温度計などを有し、温度のデータをＩＣタグに記憶させるようにする。この温度のデータを含む信号を受信などし、温度のデータに基づいて、送風側制御装置１００などが空気調和制御を行うようにしてもよい。ここで、温度センサー、人感センサーなどを併用して利用し、領域を細かく制御などすることもできる。
【００８３】
そして、送風機２が水平方向にも回転可能にしてもよい。例えば空気調和装置１による空調吹き出し流れ８方向に対してもっと遠くを空気調和する、より細かな位置での局所的な空気調和が可能になる。
【符号の説明】
【００８４】
１  空気調和装置、２  送風機、２ａ，２ｂ  送風手段、３  空調吸い込み口、４  熱交換部、５  空調吹き出し口、６  送風吸い込み口、７  送風吹き出し口、８  空調吹き出し流れ、９  送風吹き出し流れ、１０  拡散流れ、１１  循環流れ、１００  送風側制御装置、１０１  移動手段、１０２  空調側制御装置。
【図１】
0005791389.tif 000002
【図２】
0005791389.tif 000003
【図３】
0005791389.tif 000004
【図４】
0005791389.tif 000005
【図５】
0005791389.tif 000006
【図６】
0005791389.tif 000007
【図７】
0005791389.tif 000008
【図８】
0005791389.tif 000009
【図９】
0005791389.tif 000010
【図１０】
0005791389.tif 000011
【図１１】
0005791389.tif 000012
【図１２】
0005791389.tif 000013
【図１３】
0005791389.tif 000014
【図１４】
0005791389.tif 000015
【図１５】
0005791389.tif 000016
【図１６】
0005791389.tif 000017
【図１７】
0005791389.tif 000018
【図１８】
0005791389.tif 000019
【図１９】
0005791389.tif 000020
【図２０】
0005791389.tif 000021